(57)【要約】      （修正有）【課題】太陽光発電パネルの発電効率を下げることなく、かつ、落雪を抑制することができる太陽光発電パネルの雪止め構造を提供する。【解決手段】勾配屋根に設置された太陽光発電パネル３ｂ上の積雪が軒下に落下することを防止する太陽光発電パネルの雪止め構造であって、太陽光発電パネル３ｂの勾配方向軒側に隣り合って配置されて、太陽光発電パネルの上面と同一平面を形成する模擬パネル５ａと、模擬パネル５ａ上に配置されて、模擬パネル５ａの棟側に配置される棟側太陽光発電パネル３ｂ上の積雪の落下を防止する雪止め具６と、を備え、模擬パネルの勾配方向の長さは、雪止め具６の棟側に生じる雪止め具６の棟側日陰領域Ｓ２が棟側太陽光発電パネル３ｂに重ならない長さに設定されている。【選択図】図２
2014163118.tif 000002
【特許請求の範囲】
【請求項１】
勾配屋根に設置された太陽光発電パネル上の積雪が軒下に落下することを防止する太陽光発電パネルの雪止め構造であって、
前記太陽光発電パネルの勾配方向軒側に隣り合って配置されて前記太陽光発電パネルの上面と同一平面を形成する模擬パネルと、
前記模擬パネル上に配置されて、前記模擬パネルの棟側に配置される棟側太陽光発電パネル上の積雪の落下を防止する雪止め具と、を備えることを特徴とする太陽光発電パネルの雪止め構造。
【請求項２】
前記模擬パネルの勾配方向の長さは、前記雪止め具の棟側に生じる前記雪止め具の棟側日陰領域が前記棟側太陽光発電パネルに重ならない長さに設定されていることを特徴とする請求項１に記載の太陽光発電パネルの雪止め構造
【請求項３】
前記棟側太陽光発電パネル及び前記模擬パネルは、前記勾配屋根の左右方向に複数配列され、
前記模擬パネルの左右方向の長さと前記棟側太陽光発電パネルの左右方向における長さとが同一となっていることを特徴とする請求項１又は請求項２に記載の太陽光発電パネルの雪止め構造。
【発明の詳細な説明】
【技術分野】
【０００１】
本発明は、太陽光発電パネルの雪止め構造に関し、太陽光発電パネル上の積雪が軒下に落雪することを防止に関する技術である。
【背景技術】
【０００２】
従来から勾配屋根の軒側には、屋根に降り積もった雪が軒下に落下することを防止するため、雪止め具が屋根材上に設置されている（下記特許文献１参照）。
【０００３】
また、近年では、屋根面に屋根材とともに太陽光発電パネル（以下、「屋根一体型太陽光パネル」という。）が設置されたり、屋根材の上に太陽光発電パネル（以下、「据付型太陽光パネル」という。）が据え付けられたりしている。
そのため、太陽光発電パネルの軒側フレームに雪止め具を設置し、雪止め具よりも棟側に配置される棟側太陽光発電パネル上の積雪が軒下に落雪することの防止が図られている（下記特許文献２、３参照）。
【先行技術文献】
【特許文献】
【０００４】
【特許文献１】特開平０９−２４２２８３号公報
【特許文献２】特開２０１２−２５５２５４号公報
【特許文献３】特開２００３−１８４２４５号公報
【発明の概要】
【発明が解決しようとする課題】
【０００５】
しかしながら、特許文献３に開示される雪止め構造によれば、屋根を照射する太陽光が軒側から棟側に傾斜している場合に、雪止め具が棟側太陽光発電パネルに入射する太陽光を遮り、発電効率が低下するという問題があった。
なお、特許文献２に開示されるように、雪止め具の高さを棟側太陽光発電パネルに入射する光を遮らないような高さに設定することも考えられるが、雪止め具が低くなり、雪止めとして機能しない。よって、雪止め具として必要とされる高さを変更することは望ましくない。
【０００６】
一方で、特許文献１に開示されるような屋根材上に設置した雪止め具により、棟側太陽光発電パネル上の積雪が軒下に落下することを防止することも考えられる。
しかしながら、太陽光発電パネルが据付型太陽光パネルである場合、雪止め具よりも高い位置から落雪するため、雪止め具を飛び越えて軒下に落下するおそれがある。
他方、雪止め具を飛び越えることを防止するために、雪止め具から据付型太陽光パネルを離隔して棟側に据え付けることも考えられるが、経験上この離隔距離を５００ｍｍ以上設定する必要があり、据付型太陽光パネルを設置するスペースが小さくなるという問題がある。
【０００７】
本発明は、前記の問題を解決するために創作された太陽光発電パネルの雪止め構造であって、棟側太陽光発電パネルの発電効率の低下を抑制し、かつ、棟側太陽光発電パネル上からの落雪を抑制することができる太陽光発電パネルの雪止め構造を提供することを課題とする。
【課題を解決するための手段】
【０００８】
本発明に係る太陽光発電パネルの雪止め構造は、勾配屋根に設置された太陽光発電パネル上の積雪が軒下に落下することを防止する太陽光発電パネルの雪止め構造であって、
前記太陽光発電パネルの勾配方向軒側に隣り合って配置されて前記太陽光発電パネルの上面と同一平面を形成する模擬パネルと、前記模擬パネル上に配置されて、前記模擬パネルの棟側に配置される棟側太陽光発電パネル上の積雪の落下を防止する雪止め具と、を備えることを特徴とする。
【０００９】
前記する本願発明によれば、太陽光発電パネルの勾配方向軒側に配置された模擬パネルにより、太陽光発電パネルのパネル面が軒側に拡大し、雪止め具を太陽光発電パネルから離して軒側に設置できるようになる。そのため、雪止め具の棟側に生じる雪止め具の棟側日陰領域が棟側太陽光発電パネルに重なっている時間及び範囲を減少させて、棟側太陽光発電パネルの発電効率低下を抑制することができる。
そして、棟側太陽光発電パネルの発電効率の低下を抑制できるため、雪止め具を低くする必要がなく、通常求められる高さの雪止め具を使用することができるため、確実に雪止め機能を発揮することができる。
また、前記する本願発明によれば、雪止め具が棟側太陽光発電パネルの上面と同一平面と成している模擬パネル上に設置されているため、棟側太陽光発電パネル上の積雪が雪止め具を飛び越えるおそれがない。
さらに、前記する本願発明によれば、棟側太陽光発電パネル上から落雪が防止できる。よって、本発明に係る雪止め構造を備えた据付型太陽光パネルであれば、下記特許文献１に開示されるような屋根材上に設置した雪止め具によって、棟側太陽光発電パネル上の積雪の落下を防止する必要がない。言い換えれば、屋根材上に設置した雪止め具から５００ｍｍ以上離隔して据付型太陽パネルを設定する必要がない。そのため、据付型太陽光パネルを設置するスペースが小さくなるという問題を回避できる。
【００１０】
前記模擬パネルの勾配方向の長さは、前記雪止め具の棟側に生じる前記雪止め具の棟側日陰領域が前記棟側太陽光発電パネルに重ならない長さに設定されていることが好ましい。
【００１１】
前記する構成によれば、雪止め具の棟側日陰領域が棟側太陽光発電パネルに全く重ならないため、棟側太陽光発電パネルの発電効率の低下を回避できる。
【００１２】
また、前記棟側太陽光発電パネル及び前記模擬パネルは、前記勾配屋根の左右方向に複数配列され、前記模擬パネルの左右方向の長さと前記棟側太陽光発電パネルの左右方向における長さとが同一となっていることが好ましい。
【００１３】
前記する構成によれば、勾配方向で隣り合う棟側太陽光発電パネルの左右の端辺と模擬パネルとの左右の端辺とが、勾配方向に略直線状となる。そして、棟側太陽光発電パネル間の縦目地と模擬パネルの縦目地とも、勾配方向に略直線状となる。そのため、直線状の縦目地カバーを用いてそれぞれの縦目地を閉塞することができ、止水作業が容易となるとともに、棟側太陽光発電パネルと模擬パネルとが形成するパネル面の美観向上が図れる。
【発明の効果】
【００１４】
本発明によれば、棟側太陽光発電パネルの発電効率の低下を抑制し、かつ、棟側太陽光発電パネル上からの落雪を抑制することができる太陽光発電パネルの雪止め構造を提供することができる。
【図面の簡単な説明】
【００１５】
【図１】太陽光発電システムが設置された屋根の平面図であり、太陽光発電システムの一部が破断されて太陽光発電システムの下方が露出した状態を示している。
【図２】図１の太陽光発電システムをＡ―Ａ線で切った断面を示す断面図である。
【図３】図２の破線Ｃで囲まれた範囲を拡大した拡大図である。
【発明を実施するための形態】
【００１６】
本発明の実施形態について図面を参照しながら説明する。なお、実施形態の説明では、最初に、太陽光発電システム１が設置される屋根Ｒの屋根下地Ｒ１を簡単に説明し、つぎに、太陽光発電システム１について説明する。
【００１７】
（屋根下地Ｒ１）
図２に示すように、屋根下地Ｒ１は、屋根Ｒの勾配方向に延びる垂木Ｒ３と、垂木Ｒ３の上面に固定される複数の面材Ｒ２と、面材Ｒ２の上面を覆う図示しない屋根下葺材とにより構成されている。また、図１に示すように、垂木Ｒ３の軒側が左右方向に延びる軒桁Ｒ４に支持されている。
【００１８】
（太陽光発電システム１）
図１に示すように、太陽光発電システム１は、太陽光が照射される屋根Ｒなどに設置されて、太陽光エネルギーを電気エネルギーに変換し、電力使用時にその電気エネルギーを供給するシステムである。
実施形態に係る太陽光発電システム１は、左右方向に延び、屋根下地Ｒ１上の勾配方向に配置される複数の横レール４と、勾配方向に隣り合う横レール４同士の間に配置されて左右方向に配列する複数の太陽電池モジュール２と、同じく勾配方向に隣り合う横レール４同士の間に配置されて左右方向に配列する複数の模擬パネル５と、模擬パネル５上に配置されて左右方向に延びる雪止めレール６と、を主に備えている。
なお、実施形態に係る太陽光発電システム１は、横レール４上に配置された複数の太陽電池モジュール２と複数の模擬パネル５とが、瓦やスレートなどの屋根材の替わりに屋根下地Ｒ１を被覆する屋根一体型太陽光発電システムである。また、実施形態に係る太陽電池モジュール２は、特許請求の範囲に記載される「太陽光発電パネル」に相当する構成である。
【００１９】
（横レール４）
図３に示すように、横レール４は、勾配方向の垂線を対称軸として線対称に屈曲しており、横レール４の棟側及び軒側に、上向きに開口する断面視略コ字状のコ字部１３と、コ字部１３のそれぞれの両端から勾配方向外向きに延出するフランジ１４とを有している。
【００２０】
横レール４は、屋根下地Ｒ１上に設置する場合に、弾性材であるスペーサ１１上に載置され、コ字部１３の下壁部１３ａがスペーサ１１の上面に当接する。そして、この下壁部１３ａは、下壁部１３ａ自身とスペーサ１１とを貫通して屋根下地Ｒ１（面材Ｒ２及び垂木Ｒ３）に固定されたビス２０の頭部により締め付けられ、横レール４が屋根下地Ｒ１に固定されている。
フランジ１４は、上方に配置された太陽電池モジュール２及び模擬パネル５を支持する部位である。そして、フランジ１４は勾配方向に沿って延在しているため、太陽電池モジュール２及び模擬パネル５も勾配方向に対して平行な状態に支持されている（図２参照）。
【００２１】
また、横レール４の勾配方向中央部に、突条１５が形成されている。そして、この突条１５の側壁部にフランジ１４が支持する太陽電池モジュール２及び模擬パネル５が当接し、太陽電池モジュール２及び模擬パネル５が左右方向に配列している（図１参照）。
さらに、突条１５の上壁部には貫通孔１５ａが形成されている。そして、突条１５の下方にボルトＢが設けられており、下方から上方に向かって突出するボルトＢの軸部が貫通孔１５ａを通過している。なお、ボルトＢには、ボルトＢの軸部が突条１５の下に落ちることを防止するための係止具Ｂ１が嵌められている。
【００２２】
（太陽電池モジュール２）
図１に示すように、太陽電池モジュール２は、光電変換を行うパネル状の装置である。
また、複数の太陽電池モジュール２は、横レール４の突条１５（図３参照）に沿って左右方向に配列しているとともに、隣り合う太陽電池モジュール２同士が電気的に接続されて太陽電池アレイ３を構成している。
また、本実施形態では、複数の太陽電池モジュール２が勾配方向に２つずつ配置されている。よって、太陽電池アレイ３は、軒側に設けられた１列目の太陽電池アレイ３ａと、棟側に設けられた２列目の太陽電池アレイ３ｂとの２つとなっている。なお、１列目の太陽電池アレイ３ａは、屋根Ｒの軒先に近設しており、軒桁Ｒ４の上方に配置されている。また、２列目の太陽電池アレイ３ｂを構成する太陽電池モジュールが特許請求の範囲に記載される「棟側太陽電池パネル」に相当する構成である。
【００２３】
（模擬パネル５）
図１、図２に示すように、模擬パネル５は、横レール４に設置されて太陽電池モジュールと同一平面を形成し、太陽電池モジュール２が形成するパネル面を拡大させるための部材である。
本実施形態にかかる模擬パネル５は、左右方向に長い四角柱に形成されている。
そして、図１に示すように、複数の模擬パネル５は、１列目の太陽電池アレイ３ａと２列目の太陽電池アレイ３ｂとの間で左右方向に配列し、太陽電池モジュール２が形成するパネル面を勾配方向に拡大させている。また、複数の模擬パネル５は、１列目の太陽電池アレイ３ａと２列目の太陽電池アレイ３ｂとの間において、勾配方向に２つ並んで配置されている。以下、軒側に配置される模擬パネル５を軒側模擬パネル５ａと称し、棟側に配置される模擬パネル５を棟側模擬パネル５ｂと称する。なお、棟側模擬パネル５ｂが特許請求の範囲に記載される「模擬パネル」に相当する構成である。
【００２４】
図１に示すように、模擬パネル５の左右方向の長さが太陽電池モジュール２の左右方向の長さと略同一になっている。そのため、横レール４に配置されて左右方向に配列する複数の模擬パネル５間の縦目地と、１列目の太陽電池アレイ３ａの縦目地と、２列目の太陽電池アレイ３ｂの縦目地とが、勾配方向に略直線状となっている。
よって、複数の模擬パネル５の縦目地と、１列目の太陽電池アレイ３ａの縦目地と、２列目の太陽電池アレイ３ｂとを、連続して閉塞できる直線状の縦目地カバー２１を用いることができ、縦目地の止水作業が容易となるとともに、太陽電池モジュール２と模擬パネル５とが形成するパネル面の美観向上が図れる。
【００２５】
また、図２に示すように、模擬パネル５の厚みは、太陽電池モジュール２の厚みと略同一になっている。そのため、横レール４のフランジ１４に支持される模擬パネル５の上面と太陽電池モジュール２の上面とが略同一平面を形成するようになっている。よって、雨水により軒側に流れる落ち葉等が、太陽電池モジュール２と模擬パネル５とが形成するパネル面で係止することが抑制される。
なお、模擬パネル５の勾配方向の長さの説明については後述する。
【００２６】
図３に示すように、横レール４のフランジ１４に配置される軒側模擬パネル５ａと棟側模擬パネル５ｂとの間の横目地には、シール材付きの横目地プレート１６が被せられて止水されている。
また、横目地プレート１６上には、棟側の端部及び軒側の端部が下方に延びて模擬パネル５の上面に当接する断面視略コ字状の固定プレート１８が配置されている。
そして、横目地プレート１６と固定プレート１８とを貫通してボルトＢの軸部に螺合するナットＮの頭部が固定プレート１８を締め付け、模擬パネル５が横レール４に固定される。
【００２７】
（雪止めレール６）
図３に示すように、雪止めレール６は、左右方向に長いアルミニウム製またはステンレス製のプレート、あるいは防錆処理が施された鋼製プレートを屈曲させて形成されてなる部材である。雪止めレール６は、側断面視で、軒側模擬パネル５ａと棟側模擬パネル５ｂとの間の横目地プレート１６の上方に配置されて勾配方向に延びる下壁部７と、下壁部７の棟側端部から勾配方向に対し垂直となるように上方へ延在する側壁部８と、側壁部８の上端から軒側に延在して強度向上を図る上壁部９とを備えている。
【００２８】
下壁部７の勾配方向中央部には、勾配方向に直交する貫通孔７ａが形成され、筒状のナットＮの軸部が下壁部７を貫通できるようになっている。そして、貫通孔７ａを貫通するナットＮの頭部が下壁部７を締め付け、雪止めレール６が横レール４に固定されて、太陽電池モジュール２と模擬パネル５とが形成するパネル面上に雪止めレール６が設置される。なお、図１に示すように、雪止めレール６が設置される位置は、太陽電池モジュール２と同一平面をなす模擬パネル５上であって、軒側模擬パネル５ａと棟側模擬パネル５ｂとの間である。そのため、雪止めレール６は、１列目の太陽電池アレイ３ａに対し、軒側模擬パネル５ａの勾配方向の長さ分だけ離間するとともに、２列目の太陽電池アレイ３ｂに対し、棟側模擬パネル５ｂの勾配方向の長さ分だけ離間している。
【００２９】
側壁部８は、棟側模擬パネル５ｂの上面に対して直交している。よって、勾配に沿って軒側に滑り落ちる棟側模擬パネル５ｂ及び２列目の太陽電池アレイ３ｂの上の積雪が、側壁部８により係止されて、軒下に落下しないようになっている。
また、側壁部８の高さ（交配方向に直交する長さ）は、棟側模擬パネル５ｂ及び２列目の太陽電池アレイ３ｂの積雪を確実に係止できる長さ、例えば４０ｍｍ〜５０ｍｍに形成されている。なお、積雪を確実に係止できる長さとは、屋根Ｒの勾配や積雪量によって変化するものであり、本発明は上記した長さに限定されない。
さらに、側壁部８には、勾配方向に貫通する孔８ａが形成されている。そのため、屋根面に沿って軒側に移動する雨水又は落ち葉が側壁部８に係止することなく軒下に移動し易くなっている。
そのほか、雪止めレール６に対し、棟側に配置される棟側模擬パネル５ｂは、上面の積雪が滑り難くするため、摩擦係数の高い方が好ましい。
【００３０】
つぎに、図２を用いて、模擬パネル５の勾配方向の長さについて説明する。
模擬パネル５の勾配方向の長さは、雪止めレール６が太陽光の入射を妨げることで発生する日陰の領域に対応している。ここで、太陽光の照射角度は日時変化し、日陰の領域も変化するものである。よって、以下では、太陽光発電システム１に発生する日陰の領域との説明に併せて、軒側模擬パネル５ａと棟側模擬パネル５ｂとの勾配方向の長さについて説明する。
【００３１】
屋根Ｒを照射する太陽光が軒側から棟側に傾斜している場合には（図２の矢印Ｅ参照）、雪止めレール６に対して棟側の屋根面に雪止めレール６が投影されて（図２の破線Ｅ１参照）、棟側日陰領域Ｓ２が生じる。
そして、棟側模擬パネル５ｂの勾配方向の長さは、棟側日陰領域Ｓ２が２列目の太陽電池アレイ３ｂに常に重ならない長さとなるように設定されている。つまり、棟側日陰領域Ｓ２が軒側に伸びている場合には、軒側模擬パネル５ａの勾配方向の長さを長く設定し、雪止めレール６から１列目の太陽電池アレイ３ａを離間させる。
そのため、軒側から棟側に傾斜した太陽光が照射しても、棟側日陰領域Ｓ２が棟側模擬パネル５ｂ内に収まり、棟側日陰領域Ｓ２が２列目の太陽電池アレイ３ｂに全く重ならない。よって、２列目の太陽電池アレイ３ｂの発電効率の低下が回避される。
【００３２】
なお、棟側日陰領域Ｓ２が最大となる場合は、太陽高度が最も低い場合、つまり、水平方向から太陽光が照射されるである。よって、太陽高度が最も低い場合の棟側日陰領域Ｓ２を測定或いは算出することで、棟側模擬パネル５ｂの勾配方向の長さを決定することができる。
【００３３】
一方で、屋根Ｒを照射する太陽光が棟側から軒側に傾斜している場合には（図２の矢印Ｄ参照）、雪止めレール６に対して軒側の屋根面に雪止めレール６が投影されて（図２の破線Ｄ１参照）、軒側日陰領域Ｓ１が生じる。
【００３４】
ここで、軒側日陰領域Ｓ１は、屋根勾配、太陽光発電システム１が向く方位、太陽光発電システム１が設置された建物の緯度の３要素に基づいて決まるものである。
そして、想定される範囲において、軒側日陰領域Ｓ１が最大となる場合とは、太陽光の照射角度が屋根勾配に沿っている場合であり、この場合には、１列目の太陽電池アレイ３ａに軒側日陰領域Ｓ１が重ならないように軒側模擬パネル５ａの勾配方向の長さを設定することは事実上困難である。
【００３５】
よって、上記３要素の条件から、軒側模擬パネル５ａの勾配方向の長さを、軒側日陰領域Ｓ１が１列目の太陽電池アレイ３ａに常に重ならない長さとなるように設定できる場合には、この長さに設定するのが好ましい。これによれば、棟側から軒側に傾斜した太陽光が照射しても、軒側日陰領域Ｓ１が軒側模擬パネル５ａ内に収まり、１列目の太陽電池アレイ３ａの発電効率の低下を回避できるからである。
【００３６】
一方で、上記３要素の条件から、１列目の太陽電池アレイ３ａに軒側日陰領域Ｓ１が重ならないように、軒側模擬パネル５ａの勾配方向の長さを設定することは事実上困難な場合には、軒側模擬パネル５ａを設けることで、軒側日陰領域Ｓ１から、１列目の太陽電池アレイ３ａを離隔させて、軒側日陰領域Ｓ１が重なっている時間及び範囲を減少させるのが好ましい。
【００３７】
以上、本実施形態に係る太陽電池モジュール２の雪止め構造によれば、雪止めレール６が投影されてなる棟側日陰領域Ｓ２が太陽電池モジュール２に全く重ならないため、２列目の太陽電池アレイ３ｂの発電効率の低下を回避できる。
また、雪止めレール６の側壁部８の高さが確実に雪止めできる高さであるため、２列目の太陽電池アレイ３ｂ上の積雪が軒下への落雪を抑制できる。
【００３８】
さらに、本実施形態に係る太陽電池モジュール２の雪止め構造によれば、２列目の太陽電池アレイ３ｂと雪止めレール６に係止した埃や枯葉との距離を離すことができ、発電効率の低下を抑制することができる。
【００３９】
以上、実施形態について説明したが、本発明は実施形態で説明した例に限定されない。
たとえば、実施形態では、屋根下地Ｒ１を覆う屋根一体型の太陽光発電システム１に適用した例を挙げて説明したが、本発明の太陽光発電パネルの雪止め構造は、屋根下地Ｒ１の上に敷設された屋根材の上に設置される据付型の太陽光発電システム１にも適用することができる
そして、本願発明に係る太陽光発電パネルの雪止め構造を備えた据付型の太陽光発電システム１であれば、従来技術で説明したように、２列目の太陽電池アレイ３ｂ上の積雪が軒下に落下することを防止するために、屋根材上に設置した雪止め具を設置する必要がない。そのため、屋根材上に設置した雪止め具から５００ｍｍ以上離隔して据付型太陽パネルを設定する必要がなく、据付型太陽光パネルを設置するスペースが小さくなるという問題を回避できる。
【００４０】
また、実施形態では、１列目の太陽電池アレイ３ａと、２列目の太陽電池アレイ３ｂとの間に模擬パネル５と雪止めレール６とからなる雪止め構造を設けているが、本発明はこれに限定されず、１列目の太陽電池アレイ３ａの軒側に設けてもよい。この場合には、雪止めレール６の軒側に太陽電池アレイ３ａが設けられていないため、雪止めレール６の下方に配置される模擬パネル５は棟側模擬パネル５ｂのみで構成されて、軒側模擬パネル５ａが不要となる。
なお、太陽光発電パネルの雪止め構造を１列目の太陽電池アレイ３ａの軒側に設ける場合には、雪止めレール６に係止する積雪の荷重により屋根下地Ｒ１が破壊されることを防止するため、雪止めレール６が軒桁Ｒ４よりも棟側に位置するように設けるのが好ましい。
【００４１】
また、実施形態では、勾配方向の長さが、棟側日陰領域Ｓ２が２列目の太陽電池アレイ３ｂに常に重ならない長さとなるように設定された棟側模擬パネル５ｂを用いた例を挙げて説明したが、本発明はこれに限定されない。
たとえば、棟側日陰領域Ｓ２が２列目の太陽電池アレイ３ｂに重なる長さの棟側模擬パネル５ｂを用いてもよい。このような棟側模擬パネル５ｂを用いる場合には、雪止めレール６と２列目の太陽電池アレイ３ｂとを離間させて、棟側日陰領域Ｓ２が２列目の太陽電池アレイ３ｂに重なっている時間及び範囲を減少させることができ、発電効率の低下を抑制することができる。
【００４２】
また、実施形態では、左右方向に長い雪止めレール６を用いた場合を例に挙げて説明したが、本発明はこれに限定されない。たとえば、左右方向の長さが短尺上の雪止めレール又は、ブロック状雪止め具、柱状の雪止め具を用いてもよい。
さらに、短尺上の雪止めレール、ブロック状雪止め具、柱状の雪止め具を用いた場合に、千鳥状に配置してもよい。これによれば、雪止めレール等に係止する積雪が溶けやすくなる。そのほか、本発明の雪止め具は、透明な部材からなってもよい。
【符号の説明】
【００４３】
１      太陽光発電パネル
２      太陽電池モジュール
３（３ａ、３ｂ）  太陽電池アレイ
４      横レール
５（５ａ、５ｂ）  模擬パネル
６      雪止めレール
１１    スペーサ
１６    横目地プレート
１８    固定プレート
２１    縦目地カバー
Ｓ１    軒側日陰領域
Ｓ２    棟側日陰領域
【図１】
2014163118.tif 000003
【図２】
2014163118.tif 000004
【図３】
2014163118.tif 000005